(57)【要約】      （修正有）【課題】人が寝る際に、頭部付近に水分を含んだタオルなどの水分保持部材を配置して、咽頭部の渇きを防止する加湿装置を提供する。【解決手段】加湿装置は、頭部の左右両側に位置して起立する左側面板１、及び右側面板２と、左側面板と右側面板とを連結すると共に平面視でコ字状となるように頭頂部側に位置する奥板３と、少なくとも左側面板と右側面板とに取り付けられ、左右の側面板の下端から所定距離上方に位置するところで着脱可能とされ、上面側に水分保持部材が載置される格子状の棚部材８と、棚部材の上側を覆う天面板６とから構成される。これを就寝時に使用することにより、咽頭部の渇きを防止する。【選択図】図２
0003227220.tif 000002
【実用新案登録請求の範囲】
【請求項１】
頭部の左右両側に位置して起立する左側面板、及び右側面板と、この左側面板と右側面板とを連結すると共に平面視でコ字状となるように頭頂部側に位置する奥板と、少なくとも前記左側面板と右側面板とに取り付けられ、これら左右の側面板の下端から所定距離上方に位置するところで着脱可能とされ、上面側に水分保持部材が載置される格子状の棚部材と、該棚部材の上側を覆う天面板とから構成された加湿装置。
【請求項２】
前記左側面板と前記奥板、及び該奥板と前記右側面板とは、それぞれヒンジ部を介して折り畳み可能とされていることを特徴とする請求項１記載の加湿装置。
【請求項３】
前記天面板は、その一辺が前記奥板の上辺にヒンジ部材で折り畳み可能に取り付けられると共に蛇腹状とされていることを特徴とする請求項１又は２記載の加湿装置。
【請求項４】
前記左側面板と、前記右側面板との内側には、補強部材が配置されていることを特徴とする請求項１ないし３のいずれか１項に記載の加湿装置。
【請求項５】
前記補強部材は、その内部に重量物が収納可能とされた箱部材であることを特徴とする請求項４記載の加湿装置。
【考案の詳細な説明】
【技術分野】
【０００１】  本考案は、人が寝る際に、頭部付近に水分を含んだタオルなどの水分保持部材を配置して乾燥を抑えて適度な湿度を保つようにして安眠を促す加湿装置に関するものである。
【背景技術】
【０００２】  就寝時にエアコンを使用する場合、空気が乾燥し、咽頭部に渇きや炎症が生じることがある。これを防ぐために、加湿器を利用し部屋全体を加湿する方法や、マスクを使用し自らの呼気により加湿する方法があった。また、あまり一般的ではないが、箱や布などを用いて密閉された空間を作り、そこに頭部を挿入し、自らの呼気により加湿する方法もあった。
【先行技術文献】
【特許文献】
【０００３】
【特許文献１】実登第３２２１７１９号
【特許文献１】特開２００６−２６３３９
【特許文献１】実登第３０２３２４号
【考案の概要】
【考案が解決しようとする課題】
【０００４】  加湿器を用いて部屋全体を加湿する場合、使用前に給水を行っておく必要があり、そして朝起きた時には結露の始末をする必要があった。また、マスクによる保湿を行う場合には、寝ている間にマスクが外れることや、マスクの紐で耳が痛くなることがあった。自らの呼気で加湿する方法では、装置の設置や使用の準備に手間がかかることがあった。【０００５】  本考案は、就寝時に手軽に使える加湿装置を提供することにある。
【課題を解決するための手段】
【０００６】  本考案は、上記課題を解決するために、頭部の左右両側に位置して起立する左側面板、及び右側面板と、この左側面板と右側面板とを連結すると共に平面視でコ字状となるように頭頂部側に位置する奥板と、少なくとも前記左側面板と右側面板とに取り付けられ、これら左右の側面板の下端から所定距離上方に位置するところで着脱可能とされ、上面側に水分保持部材が載置される格子状の棚部材と、該棚部材の上側を覆う天面板とから構成することを特徴とする。
【考案の効果】
【０００７】  本考案によれば、加湿装置に頭部を挿入することにより、水分保持部材の真下に頭部が位置することになり、必要な場所を重点的に加湿することが可能となる。そのため、咽頭部の渇きや炎症を抑えることが出来る。また、使用前の準備も楽になり、朝の結露の始末の煩わしさも減り、マスクが外れる心配をすることもなくなり、使用時の面倒を感じることも少なくなる。
【図面の簡単な説明】
【０００８】
【図１】  本考案の基本的な構成の斜視図である。
【図２】  本考案の天面板を折り畳む途中の斜視図である。
【図３】  本考案の天面板が折り畳まれた斜視図である。
【図４】  本考案の展開図である。
【図５】  本考案の変形例を示す斜視図である。
【考案を実施するための形態】
【０００９】  本考案の実施例について図面に基づいて説明する。本考案の加湿装置Ｋは、人の頭部（図示せず）の左右両側に位置して起立する左側面板１と、右側面板２と、この左側面板１と右側面板２とを連結するとともに頭頂部側に位置する奥板３とから構成されている。そして、この左側面板１と右側面板２と奥板３とで平面視でコ字状とされている。
【００１０】  前記した左側面板１、右側面板２、奥板３は、段ボールで構成されており、左側面板１と奥板３とは薄肉状の第１ヒンジ部４を介して折り曲げ自在とされている。また、右側面板２と奥板３との間も薄肉状の第２ヒンジ部５を介して折り曲げ自在とされている。
【００１１】  前記した奥板３の上辺３ａには、左側面板１の上辺１ａと、右側面板２の上辺２ａに載置される天面板６が薄肉状の第３ヒンジ部７を介して上方が開くように折り曲げ自在とされている。そして、この天面板６は、複数の薄肉部６ａ、６ａを介して蛇腹状に折り畳み可能とされている（図２、図３参照）。なお、本実施例では段ボール製の左側面板１と奥板３、右側面板２と奥板３、及び奥板３と天面板６とは図４で示すようにそれぞれ第１ヒンジ部４と第２ヒンジ部５と第３ヒンジ部７で一体成形しているが、一体成形ではなく分割した状態で個々にヒンジを介して折り曲げ自在にそれぞれを連結しても良いものである。
【００１２】  前記左側面板１の上辺１ａには、一定の間隔をおいて下方に伸びる所定長さの細溝１ｂ、１ｂが形成されており、右側面板２の上辺２ａにも、一定の間隔をおいて下方に伸びる所定長さの細溝２ｂ、２ｂが形成されている。さらに、奥板３の上辺３ａにも、一定の間隔をおいて下方に伸びる所定長さの細溝３ｂ、３ｂが形成されており、さらに、３ｂ、３ｂの上部をつなぐ細溝３ｃが形成されている。
【００１３】  前記細溝１ｂ、１ｂ、２ｂ、２ｂ、３ｂ、３ｂには、格子状とされた棚部材８に形成された係止部９、９，９が嵌め込まれている。これによって、棚部材８が左側面板１と右側面板２の下端から所定距離上方に位置することとなる。そして、この棚部材８に水分保持部材としてのタオル１０が載置されるようになる。なお、本実施例では水で湿らせたタオル１０を水分保持部材として説明しているが、タオル１０に代えて適度な湿度が保てる布部材やスポンジ材など適宜変更できることは言うまでもない。
【００１４】  前記した棚部材８は、左側面板１の細溝１ｂと、右側面板２の細溝２ｂと、奥板３の細溝３ｂに係止部９を嵌め込んで固定されている。奥板３の細溝３ｂには、奥板３にある細溝３ｃを通して嵌め込む。また、棚部材８は、左側面板１の細溝１ｂと右側面板２の細溝２ｂとで固定しても良いものである。また、細溝ではなく左側面板１と右側面板２の一部に開口部を形成してこの開口部に棚部材８の係止部９を係止させるようにしても良いものであり、固定の仕方は種々変更可能である。
【００１５】  前記左側面板１と、右側面板２の内側部分には補強部材としての箱部材１１が固定されている。この箱部材１１は、接着剤で貼り付け固定されているが、接着剤ではなくピン部材での固定やハトメ固定など種々の固定の仕方が考えられるものである。そして、この箱部材１１は、その上側が開閉されるように蓋部材１２が設けられている。この箱部材１１内に書籍などを入れることで加湿装置Ｋを補強することができるようになる。
【００１６】  なお、図５は本考案の変形例を示すが、この変形例では天面板１４が蛇腹状でなく平板状となっている点が相違している。
【００１７】  前記した本考案の加湿装置Ｋは、睡眠をとる人が寝るための敷布団の上の頭部側に設置する。そして、天面板６を開いた状態で水分を含ませた水分保持部材としてのタオル１０を棚部材８上に載せて前記天面板６を閉じる。このようにすることで睡眠をとる人の顔の上方に水分保持部材が配置されているので喉の渇きや炎症を抑えることが可能となる。
【００１８】  前記したように加湿装置Ｋを設置した場合、敷布団の上なので少し不安定な懸念が残る。このため、前記補強部材としての箱部材内に書籍などを収納しておくことで加湿装置Ｋの下側に重心が位置するようになり、安定性が向上する。なお、箱部材１１の中には、書籍以外に重量性があるものなどを収納しておけば良いものである。
【符号の説明】
【００１９】１    左側面板
２    右側面板
３    奥板
６    天面板
８    棚部材
１０  水分保持材
１１  箱部材（補強部材）
【図１】
0003227220.tif 000003
【図２】
0003227220.tif 000004
【図３】
0003227220.tif 000005
【図４】
0003227220.tif 000006
【図５】
0003227220.tif 000007